(57)【要約】【課題】方向性を向上したゴルフクラブを提供すること。【解決手段】本ゴルフクラブは、シャフトの先端側にアイアン形状のヘッドを有し、前記シャフトの手元側にグリップを有するゴルフクラブであって、クラブ全長が３３．５〜３６．０インチであり、ロフト角が４０〜７０°であり、ライ角が６５〜７５°であり、フェース−バック方向における最大のソール幅が３０〜８０ｍｍであり、前記グリップは前記シャフトの軸方向と垂直な断面方向において外形形状が円形状であり、前記シャフトに装着された状態の直径が３０ｍｍ以上であり、ヘッド側端からグリップエンド側端まで一律の太さを有する。【選択図】図１
2019097781.tif 000002
【特許請求の範囲】
【請求項１】
シャフトの先端側にアイアン形状のヘッドを有し、前記シャフトの手元側にグリップを有するゴルフクラブであって、
クラブ全長が３３．５〜３６．０インチであり、
ロフト角が４０〜７０°であり、
ライ角が６５〜７５°であり、
フェース−バック方向における最大のソール幅が３０〜８０ｍｍであり、
前記グリップは
前記シャフトの軸方向と垂直な断面方向において外形形状が円形状であり、
前記シャフトに装着された状態の直径が３０ｍｍ以上であり、
一律の太さを有することを特徴とするゴルフクラブ。
【請求項２】
前記ヘッドを地平面に基準のライ角及び基準のロフト角通りに接地して上方から視たときに、前記ヘッドのソール部のトレーリングエッジが前記ヘッドのフェース部に完全に隠れることを特徴とする請求項１に記載のゴルフクラブ。
【請求項３】
前記グリップは、ゴムの発泡体または樹脂の発泡体により形成されていることを特徴とする請求項１または２に記載のゴルフクラブ。
【請求項４】
前記ライ角が７０〜７３°であることを特徴とする請求項１乃至３の何れか一項に記載のゴルフクラブ。
【請求項５】
前記ヘッドは中空構造であることを特徴とする請求項１乃至４の何れか一項に記載のゴルフクラブ。
【発明の詳細な説明】
【技術分野】
【０００１】
本発明は、ゴルフクラブに関する。
【背景技術】
【０００２】
従来、グリーン周りからのアプローチショットやバンカーショット用として、例えば、アプローチウェッジ、サンドウェッジ、チッパー等の比較的クラブ全長が短いゴルフクラブが提案されていた。
【０００３】
しかしながら、これらのゴルフクラブに、比較的クラブ全長が長いゴルフクラブと同様のグリップを装着すると、例えば、右利きの場合、右手に力が入り過ぎて方向性が出しにくい等の問題があった。
【先行技術文献】
【特許文献】
【０００４】
【特許文献１】特開２００３−０５２８７４号公報
【特許文献２】特許第３００２８２１号
【特許文献３】特許第４４４５１５７号
【特許文献４】特開平１０−３２８３３４号公報
【特許文献５】特開平０２−２２４６７８号公報
【発明の概要】
【発明が解決しようとする課題】
【０００５】
本発明は、方向性を向上したゴルフクラブを提供することを目的とする。
【課題を解決するための手段】
【０００６】
本ゴルフクラブは、シャフトの先端側にアイアン形状のヘッドを有し、前記シャフトの手元側にグリップを有するゴルフクラブであって、クラブ全長が３３．５〜３６．０インチであり、ロフト角が４０〜７０°であり、ライ角が６５〜７５°であり、フェース−バック方向における最大のソール幅が３０〜８０ｍｍであり、前記グリップは前記シャフトの軸方向と垂直な断面方向において外形形状が円形状であり、前記シャフトに装着された状態の直径が３０ｍｍ以上であり、ヘッド側端からグリップエンド側端まで一律の太さを有することを要件とする。
【発明の効果】
【０００７】
開示の技術によれば、方向性を向上したゴルフクラブを提供できる。
【図面の簡単な説明】
【０００８】
【図１】本実施の形態に係るゴルフクラブ１を例示する図である。
【図２】本実施の形態に係るゴルフクラブヘッド１０の近傍を例示する正面図である。
【図３】本実施の形態に係るゴルフクラブヘッド１０の近傍を例示する背面図である。
【図４】本実施の形態に係るゴルフクラブヘッド１０の近傍を例示する平面図である。
【図５】本実施の形態に係るゴルフクラブヘッド１０の近傍を例示する底面図である。
【図６】本実施の形態に係るゴルフクラブヘッド１０の近傍を例示する左側面図である。
【図７】本実施の形態に係るゴルフクラブヘッド１０の近傍を例示する右側面図である。
【図８】本実施の形態に係るグリップ４０を例示する図（その１）である。
【図９】本実施の形態に係るグリップ４０を例示する図（その２）である。
【図１０】グリップ４０の太さの測定方法を説明する図である。
【図１１】実施例及び比較例について説明する図（その１）である。
【図１２】実施例及び比較例について説明する図（その２）である。
【図１３】実施例及び比較例について説明する図（その３）である。
【発明を実施するための形態】
【０００９】
以下、図面を参照して、実施の形態の説明を行う。なお、各図面において、同一構成部分には同一符号を付し、重複した説明を省略する場合がある。
【００１０】
図１は、本実施の形態に係るゴルフクラブ１を例示する図である。図２は、本実施の形態に係るゴルフクラブヘッド１０の近傍を例示する正面図である。図３は、本実施の形態に係るゴルフクラブヘッド１０の近傍を例示する背面図である。図４は、本実施の形態に係るゴルフクラブヘッド１０の近傍を例示する平面図である。図５は、本実施の形態に係るゴルフクラブヘッド１０の近傍を例示する底面図である。図６は、本実施の形態に係るゴルフクラブヘッド１０の近傍を例示する左側面図である。図７は、本実施の形態に係るゴルフクラブヘッド１０の近傍を例示する右側面図である。図８及び図９は、本実施の形態に係るグリップ４０を例示する図である。
【００１１】
図２〜図７では、ゴルフクラブヘッド１０をフェース面１１ｆ側から視た図を正面図としており、図２では、ゴルフクラブヘッド１０を地平面Ｈに基準のライ角及び基準のロフト角通りに接地した場合を図示している。また、矢印ｄ１はトウ−ヒール方向（左右方向）を、矢印ｄ２はトップ−ソール方向（上下方向）を、矢印ｄ３はフェース−バック方向（前後方向）を示している。
【００１２】
図１に示すように、ゴルフクラブ１は、アイアン型のゴルフクラブであり、ゴルフクラブヘッド１０（単にヘッドと称する場合がある）と、シャフト２０と、フェルール３０と、グリップ４０とを有する。
【００１３】
ゴルフクラブ１は、シャフト２０の先端側にアイアン形状のゴルフクラブヘッド１０を有し、シャフト２０の手元側にグリップ４０を有する。シャフト２０は、例えば、手元側から先端側へと向かって径が細くなる円筒形状を有しており、金属材料やカーボン繊維強化樹脂等の樹脂材料により形成されている。ゴルフクラブ１は、例えば、クラブ全長Ｌ１が３３．５〜３６．０インチであり、アプローチに適したゴルフクラブである。
【００１４】
なお、クラブ全長Ｌ１は６０度法により測定することができる。６０度法では、ゴルフクラブ１を水平面に置いてソール部を角度６０度の面に当て、二つの面（水平面と角度６０度の面）の交差点からグリップエンド側端４０ｅまでの距離がクラブ全長となる。
【００１５】
以下、ゴルフクラブ１の各構成部について説明する。
【００１６】
図２〜図７に示すように、ゴルフクラブヘッド１０は、フェース部１１と、ソール部１２と、バック部１３と、ホゼル部１４とを有する。
【００１７】
ゴルフクラブヘッド１０は、例えば、軽量化のために中空構造とすることができる。ゴルフクラブヘッド１０は、例えば、ライ角θ１が６５°〜７５°であるが、より好ましくはライ角θ１が７０°〜７３°である（図２参照）。また、ゴルフクラブヘッド１０は、例えば、ロフト角θ２が４０°〜７０°である（図６参照）。また、ゴルフクラブヘッド１０は、例えば、フェース−バック方向における最大のソール幅Ｗ１が３０ｍｍ〜８０ｍｍである（図５参照）。
【００１８】
ゴルフクラブ１は、ゴルフクラブヘッド１０を地平面に基準のライ角及び基準のロフト角通りに接地し上方から視たときに、ゴルフクラブヘッド１０のソール部１２のトレーリングエッジ１２ｔがゴルフクラブヘッド１０のフェース部１１に完全に隠れるように構成されている（図４参照）。これにより、ゴルフクラブ１の使用者に違和感を与えないようにすることができる。
【００１９】
ゴルフクラブヘッド１０は、例えば、チタン合金、チタン、軟鉄、ステンレス、アルミニウム合金等の金属材料を用いて形成することができる。なお、ゴルフクラブヘッド１０を構成する各部において、フェース側の面を表面、バック側の面を背面と称する場合がある。
【００２０】
フェース部１１は、打撃面となるフェース面１１ｆを備えている。なお、フェース部１１は所定の厚みを有しており、フェース面１１ｆはフェース部１１の表面をなしている。フェース面１１ｆには、トウ−ヒール方向を長手方向とする複数のスコアライン１１ｓ（フェース面１１ｆから窪む溝）が、所定間隔でトップ−ソール方向に配列されている。
【００２１】
ソール部１２は、ゴルフクラブヘッド１０の底部を形成する部分である。バック部１３は、フェース部１１とソール部１２とを繋ぐ部分である。ホゼル部１４は、シャフト２０と連結される部分である。
【００２２】
ホゼル部１４は、先端側からゴルフクラブヘッド１０内に延びるシャフト挿入穴を有している。シャフト挿入穴の中にシャフト２０の一端部が挿入され、接着剤等によってシャフト２０とホゼル部１４が固定されている。
【００２３】
ホゼル部１４の上側（グリップ４０側）のシャフト２０の外周には、フェルール３０が取り付けられている。フェルール３０にはシャフト２０が挿入され、固定されている。フェルール３０は、シャフト２０とホゼル部１４の接続部分の美観を高めるためのものであり、例えば、ホゼル部１４の外径からシャフト２０の外径に向かって細くなる円筒形状を有している。フェルール３０は、例えば、セルロース系材料等の合成樹脂を用いて形成することができる。
【００２４】
図８及び図９は、本実施の形態に係るグリップ４０を例示する図であり、図９は図８のＡ−Ａ線に沿う断面を示している。図８及び図９に示すように、グリップ４０において、ヘッド側端４０ｈからグリップエンド側端４０ｅに向かって、シャフト２０を挿入可能なシャフト取付穴４０ｘが形成されている。シャフト取付穴４０ｘは、ヘッド側端４０ｈが開口しており、グリップエンド側端４０ｅが塞がれている。
【００２５】
シャフト取付穴４０ｘの内径は一定であってもよいし、シャフト２０の外形に合わせ、ヘッド側端４０ｈからグリップエンド側端４０ｅに向かって、内径が漸増してもよい。例えば、手元側に両面テープが巻かれたシャフト２０をシャフト取付穴４０ｘに挿入することで、シャフト２０の手元側にグリップ４０を固定することができる。
【００２６】
グリップ４０は、シャフト軸方向（グリップ４０の長手方向）と垂直な断面方向において外形形状が円形状である。なお、本願で言う円形状とは、対象物が完全な円形の場合のみでなく、概ね円形の場合も含む。概ね円形の場合とは、例えば、僅かに押し潰された円形や円形に近似した楕円形、表面に僅かな凹凸がある場合等を含む。また、これはＲ＆Ａが定めるゴルフ規則中「Appendix II - Design of Clubs 3. Grip」の、「パター以外のクラブは、グリップの横断面が円形でなければならない」に準拠しており、ここに認められる範囲内で想定される。
【００２７】
シャフト２０に装着された状態のグリップ４０の外径φ１は少なくともバット端が３０ｍｍ以上であり、グリップ４０が一律の太さを有している。なお、本願で言う一律の太さとは、対象物が完全な一律の太さの場合のみでなく、概ね一律の太さの場合も含む。概ね一律の太さの場合とは、下記測定方法における公差が±３ｍｍ以内（最大外径と最小外径との差が６ｍｍ以内）の場合である。
【００２８】
グリップ４０の太さの測定方法は、次の通りである。すなわち、図１０に示すように、ヘッド側端４０ｈ及びグリップエンド側端４０ｅからＬ１＝Ｌ２＝１０ｍｍ離れた位置を地点Ｐ１及びＰ２とし、地点Ｐ１から地点Ｐ２までの範囲にＬ３＝１０ｍｍの間隔でサインペン等で目印を打ち、地点Ｐ１と地点Ｐ２と目印の各位置においてノギスを使ってシャフト２０を挿入後のグリップ４０の外径を計測する。各位置におけるグリップ４０の外径の測定値を平均したものがグリップ４０の外径φ１である。
【００２９】
当測定方法において、地点Ｐ１及び地点Ｐ２を両端から１０ｍｍ離している理由としては、グリップの端部にグリップキャップが装着されている場合にグリップキャップを避けて測定することや、グリップ４０の内側に巻く両面テープが存在する部分を測定するためである。特に制限はしないが、概ね一律の太さを逸脱しない範囲でＰ２≧Ｐ１としてもよい。
【００３０】
なお、公差が±３ｍｍ以内という数値は、ゴルフクラブ１の各部の製造公差及び組み立て時の下巻両面テープの厚みによるばらつき等を考慮して決定したものである。
【００３１】
グリップ４０は、例えば、ゴムの発泡体や樹脂の発泡体を加熱成形することにより形成することができる。ゴムの発泡体や樹脂を発泡させる方法としては特に限定されるものではなく、ＡＤＣＡ（アゾジカルボンアミド）やＯＢＳＨ（オキシビスベンゼンスルホニルヒドラジド）等を利用した化学発泡、発泡性マイクロカプセルや超臨界流体等を利用した物理発泡といった一般的な方法の中から、気泡のサイズ、均質な発泡体を得るための基材への分散性、発泡倍率、残色、対へたり性などによりゴルフグリップにとって好ましい物性となるよう、適宜選択できる。
【００３２】
グリップ４０をゴムの発泡体や樹脂の発泡体により形成することで、ゴルフグリップの比重を軽くすることができ、ゴルフクラブ１を軽量化することができる。但し、グリップ４０の素材としては、例えば、天然ゴムや合成ゴム、熱可塑性エラストマーにより形成されるものが有るが、ゴルフグリップにとって好ましい物性となるよう、適宜選択できる。
【００３３】
このように、ゴルフクラブ１は、シャフト２０に装着された状態のグリップ４０が一律の太さを有している。これにより、ボールにインパクトする付近でヘッドが走りすぎないため、方向性を向上することができる。また、ゴルフクラブ１を短く持ったときもグリップ４０の握られる部分の太さが変わらないため、通常と同じように握ることができる。また、初心者がベースボールグリップと呼ばれる野球のバットを握るように右手と左手の指の重ならない握り方で握った場合でも、しっかりと握ることができる。インターロッキンググリップやオーバーラッピンググリップでは手の指で握ることを意識するが、本実施の形態では手の平で握りやすくすることができる。
【００３４】
また、ゴルフクラブ１は、シャフト２０に装着された状態のグリップ４０の外径φ１が３０ｍｍ以上であり、通常よりも太めである。これにより、右手のパンチを抑制する効果、手の平で握りやすくする効果、及び緩く握れる効果が得られ、何れも方向性の向上に繋がる。
【００３５】
また、ゴルフクラブ１は、ライ角θ１が６５°〜７５°、より好ましくは７０°〜７３°であり、アップライトである。これにより、ゴルファーはボールに近い位置に立ち、かつ無理のない姿勢で打つことができる。
【００３６】
また、ゴルフクラブ１において、シャフト２０に装着された状態のグリップ４０の外径φ１が３０ｍｍ以上であり、グリップ４０が一律の太さを有し、かつアップライトであることの相乗効果で、ゴルファーに安心感を与えるゴルフクラブを実現している。
【００３７】
［実施例１、２、比較例１〜４］
実施例１、２、比較例１〜４として、ライ角またはクラブ全長（６０度法により測定）を変更した場合の、振りやすさ、構えやすさ、及び方向性について評価を行った。評価は、◎（大変良い）を４点、〇（良い）を３点、△（普通）を２点、▲（あまり良くない）を１点、×（良くない）を０点とし、合計点で比較した。
【００３８】
図１１の仕様に示すように、比較例１及び２は、ライ角のみが実施例１及び２と異なり、他の仕様は実施例１及び２と同様である。また、比較例３及び４は、クラブ全長のみが実施例２と異なり、他の仕様は実施例２と同様である。図１１において、実施例１及び２と比較例１〜４で仕様が異なる部分を網掛で示している。また、パラレルとは、グリップが概ね一律の太さの場合を意味する。また、特記のない限りヘッドは中空構造である。
【００３９】
図１１の評価結果に示すように、実施例１及び２は、比較例１〜４よりも合計点が高く、振りやすさ、構えやすさ、及び方向性が何れも良好であった。特に、実施例２は実施例１よりも振りやすさの評価が高く、実施例２のライ角が最適であるといえる。
【００４０】
一方、比較例１は、アップライトすぎるため、構えにくく、方向性も悪い。比較例２は、フラットすぎるため、ボールの近くに構えにくい。比較例３は、クラブ全長が長すぎるため、構えにくく、打ちにくい。比較例４は、クラブ全長が短かすぎるため、前かがみになって、打ちにくい。
【００４１】
以上の結果に余裕度等を加味すると、アプローチ等に用いるゴルフクラブは、クラブ全長が３３．５〜３６．０インチであり、ライ角が６５〜７５°であることが好ましく、７０°〜７３°であることがより好ましい。
【００４２】
［実施例２、比較例５〜７］
実施例２、比較例５〜７として、グリップの仕様を変更した場合の、振りやすさ、握りやすさ、及び方向性について評価を行った。評価は、◎（大変良い）を４点、〇（良い）を３点、△（普通）を２点、▲（あまり良くない）を１点、×（良くない）を０点とし、合計点で比較した。
【００４３】
図１２の仕様に示すように、比較例５は、グリップ形状のみが実施例２と異なり、他の仕様は実施例２と同様である。また、比較例６は、グリップ直径のみが実施例２と異なり、他の仕様は実施例２と同様である。また、比較例７は、グリップ形状及びグリップ直径のみが実施例２と異なり、他の仕様は実施例２と同様である。図１２において、実施例２と比較例５〜７で仕様が異なる部分を網掛で示している。また、パラレルとは、グリップが概ね一律の太さの場合を意味する。また、グリップ形状がテーパーの場合、グリップのヘッド側の径が細くなっており、ここに記されているグリップ直径は、最も太い部分の直径である。また、特記のない限りヘッドは中空構造である。なお、図１２に改めて記載した実施例２の仕様は、図１１に記載したものと同様である。
【００４４】
図１２の評価結果に示すように、実施例２は、比較例５〜７よりも合計点が高く、振りやすさ、握りやすさ、及び方向性が何れも良好であった。
【００４５】
一方、比較例５は、グリップのテーパー形状のため、握りにくく、方向性もあまりよくない。比較例６は、グリップ直径が小さいため、握りやすいものの、方向性が悪い。比較例７は、グリップのテーパー形状であり、グリップ直径が小さいため、振りやすさ及び握りやすさはあまり良くなく、方向性が悪い。
【００４６】
以上の結果に余裕度等を加味すると、アプローチ等に用いるゴルフクラブは、グリップの直径が３０ｍｍ以上であり、グリップが概ね一律の太さであることが好ましい。
【００４７】
［実施例２、比較例８〜１１］
実施例２、比較例８〜１１として、ヘッド形状、ヘッド重量、ソール幅、またはロフト角を変更した場合の、振りやすさ、地面への刺さりにくさ、方向性、及び距離感について評価を行った。評価は、◎（大変良い）を４点、〇（良い）を３点、△（普通）を２点、▲（あまり良くない）を１点、×（良くない）を０点とし、合計点で比較した。
【００４８】
図１３の仕様に示すように、比較例８は、ヘッド形状及びヘッド重量のみが実施例２と異なり、他の仕様は実施例２と同様である。また、比較例９は、ソール幅のみが実施例２と異なり、他の仕様は実施例２と同様である。また、比較例１０は、ヘッド形状及びヘッド重量のみが実施例２と異なり、他の仕様は実施例２と同様である。比較例１１は、ロフト角のみが実施例２と異なり、他の仕様は実施例２と同様である。図１３において、実施例２と比較例８〜１１で仕様が異なる部分を網掛で示している。また、パラレルとは、グリップが概ね一律の太さの場合を意味する。また、特記のない限りヘッドは中空構造である。なお、図１３に改めて記載した実施例２の仕様は、図１１及び図１２に記載したものと同様である。
【００４９】
図１３の評価結果に示すように、実施例２は、比較例８〜１１よりも合計点が高く、振りやすさ、地面への刺さりにくさ、方向性、及び距離感が何れも良好であった。
【００５０】
一方、比較例８は、ヘッドが軽いため振り易いがヘッドがウッド形状であるため距離感が合わず、構えにくく方向性も悪い。比較例９は、ソール幅が狭いため、地面に刺さりやすい。比較例１０は、中実のヘッドを使用しているためヘッドが重すぎて振りにくい。比較例１１は、ロフト角が立ちすぎているため距離感が合わない。
【００５１】
以上の結果に余裕度等を加味すると、アプローチ等に用いるゴルフクラブは、ヘッド形状が中空構造のアイアンであって、ロフト角が４０〜７０°であり、フェース−バック方向における最大のソール幅が３０〜８０ｍｍであり、ヘッド重量が２６０〜３２０ｇであることが好ましい。
【００５２】
実施例１、２、比較例１〜１１の結果をまとめると、アプローチ等に用いるゴルフクラブは、ヘッド形状が中空構造のアイアンであって、クラブ全長が３３．５〜３６．０インチであり、ライ角が６５〜７５°、より好ましくは７０°〜７３°であり、ロフト角が４０〜７０°であり、フェース−バック方向における最大のソール幅が３０〜８０ｍｍであり、ヘッド重量が２６０〜３２０ｇであり、グリップの直径が３０ｍｍ以上であり、グリップのヘッド側端からグリップエンド側端まで概ね一律の太さであることが好ましい。
【００５３】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００５４】
１  ゴルフクラブ
１０  ゴルフクラブヘッド
１１  フェース部
１１ｆ  フェース面
１１ｓ  スコアライン
１２  ソール部
１２ｔ  トレーリングエッジ
１３  バック部
１４  ホゼル部
２０  シャフト
３０  フェルール
４０  グリップ
４０ｘ  シャフト取付穴
４０ｈ  ヘッド側端
４０ｅ  グリップエンド側端
【図１】
2019097781.tif 000003
【図２】
2019097781.tif 000004
【図３】
2019097781.tif 000005
【図４】
2019097781.tif 000006
【図５】
2019097781.tif 000007
【図６】
2019097781.tif 000008
【図７】
2019097781.tif 000009
【図８】
2019097781.tif 000010
【図９】
2019097781.tif 000011
【図１０】
2019097781.tif 000012
【図１１】
2019097781.tif 000013
【図１２】
2019097781.tif 000014
【図１３】
2019097781.tif 000015